(57)【要約】      （修正有）【課題】空気圧により形状が比較的固定するため、建築物の被覆に使用されても風に煽られたり水溜りができるような不都合がなく、また、敷物として使用しても快適であり、さらに、運搬・保管にも好都合なエアシートを提供する。【解決手段】表裏両方の面シート１が左右上下の各端でシールされた偏平な気密性の中空体であって、中空体が空気圧で偏平に保持され得るように両面シートを連結する間隔保持部１１が散在して設ける。また、左右両端では、隣接する他のエアシートと幅広に連結できるように接続部３を設け、両方の接続部がアリ形の凹凸部１５、１７が並列し相互に解離可能となる結合形状に形成されており、中空体に空気の出し入れのための空気注入口を具備してプラスチック製のエアシートを形成する。【選択図】図３
0003174670.tif 000002
【実用新案登録請求の範囲】
【請求項１】
表裏両方の面シートが左右上下の各端でシールされた偏平な気密性の中空体であって、中空体が空気圧で偏平に保持され得るように両面シートを連結する間隔保持部が散在して設けられており、左右両端では、隣接する他のエアシートと幅広に連結できるように接続部を設け、両方の接続部がアリ形の凹凸部が並列し相互に解離可能となる結合形状に形成されており、中空体に空気の出し入れのための空気注入口を具備してあることを特徴とするプラスチック製のエアシート。
【考案の詳細な説明】
【技術分野】
【０００１】
この考案は、主に被覆材として、例えば建築現場で壁面や屋根等を覆うために使用する従来のブルーシート等に代わるようなエアシートに関する。
【背景技術】
【０００２】
ブルーシートは、ポリエチレンの合成樹脂の青いシートであって、各隅角にアルミのリングが嵌め込まれた鳩目が設けられ、不透水性であって耐光性があることから、風雨や太陽光線を避けて広い範囲を覆うために多用される。
【０００３】
例えば、建築中の建物の周囲を囲って塵の飛散を防いだり、乾燥中の塗壁が風雨に曝されないようにするために、また、建築中やリフォームなどで屋根が未だ仕上がっていない時や、部分的に瓦を剥がした時の屋根代わりに使用される。また、敷物として使用されることも多かった。
【考案の概要】
【考案が解決しようとする課題】
【０００４】
従来、ブルーシートは、上記のように建築現場等に多用されてきたが、家屋の周囲に張るときには風に煽られるために塵や風雨の侵入防止の役割を十分に果たすことができなく、また、屋根の上に被せるときには、雨水の溜まる窪みが生じる不都合があった。
【０００５】
また、運動会等の各種催しの場合のテントや、地震等の災害時の避難体育館では、敷物として使用されることが多かったが、地面や床の冷たさが身体に伝わるために快適性に欠け健康上にも問題があった。
【０００６】
この考案は、上記のような実情に鑑みて、空気圧により形状が比較的固定するため、建築物の被覆に使用されても風に煽られたり水溜りができるような不都合がなく、また、敷物として使用しても快適であり、さらに、運搬・保管にも好都合なエアシートを提供することを課題とした。
【課題を解決するための手段】
【０００７】
上記の課題を解決するために、この考案は、表裏両方の面シートが左右上下の各端でシールされた偏平な気密性の中空体であって、中空体が空気圧で偏平に保持され得るように両面シートを連結する間隔保持部が散在して設けられており、左右両端では、隣接する他のエアシートと幅広に連結できるように接続部を設け、両方の接続部がアリ形の凹凸部が並列し相互に解離可能となる結合形状に形成されており、中空体に空気の出し入れのための空気注入口を具備してあることを特徴とするプラスチック製のエアシートを提供するものである。
【０００８】
上記の構成によれば、空気注入口より空気を圧入すると、偏平な板状に膨出した中空体となり、この状態で使用し、逆に空気を抜いて折り畳むことができる。また、必要があれば、左右両端の接続部をアリ形で合わせて着脱可能に連結して幅広く使用する。
【考案の効果】
【０００９】
以上説明したように、この考案のエアシートによれば、空気圧により形状が比較的固定するため、建築物の囲いや覆いとして使用しても、風に煽られることがなく被覆が安定し水溜りも生じないし、塵の侵入や雨漏り等を確実に防止でき、また、断熱性があるため敷物として使用しても快適であり、さらに、空気を抜いて折り畳み可能であるので、運搬・保管にも好都合であるという優れた効果がある。
【図面の簡単な説明】
【００１０】
【図１】この考案の一実施例に係るエアシートの平面図である。
【図２】同エアシートを横に連結した状態で要部を切り欠いて示す斜視図である。
【図３】同エアシートを横に連結した状態で示す横断面図である。
【図４】他の実施例を示す図２に対応する斜視図である。
【図５】同実施例を示す図３に対応する横断面図である。
【考案を実施するための形態】
【００１１】
この考案のエアシートは、ポリエチレンやビニール等のプラスチックにより偏平な中空体に作られ表裏両面シートが一体であるが、これには実施例に示すような押出成形により、又は組立により一体化ができる。なお、現場の足場との連結片を突設することもある。
【実施例１】
【００１２】
図１ないし図３は、一実施例を示したもので、そのエアシートＳは、プラスチックで封筒状断面の偏平な中空に押出成形することにより表裏両面シート１，１と同時に両端に接続部３，３が一体に形成され、接続部３，３で横に幅広く連結できるようになっている。
【００１３】
このままでは、上下両端が開放されているので、内部の空間５を封じるために、上下両端に表裏両面シート１，１に挟まれるシール部材が嵌着され、この上下シール部７，７で空気が漏れない気密性の中空体となっている。また、空間５の空気圧により風船のように膨大し過ぎないように、スポット加熱溶着により両面シート１，１が部分接着され、熱溶着による間隔保持部１１，１１・・が多数散在して設けられる。
【００１４】
一部に空気の注入口１３が設けられる。この注入口１３から空気を圧入した空間５で膨大するが、間隔保持部１１，１１・・の存在によりいずれの箇所においてもほゞ一定の厚みに保持される。
【００１５】
接続部３，３は、相互に面合わせで結合できる対象の同一形状であって、両方ともアリ形の凸部１５とアリ形の凹部１７が隣接する並列形状に形成される。そこで、左右両側のエアシートＳ、Ｓを両方の接続部３，３で面合わせにして押圧すると、凸部１５と凹部１７とで嵌合して一体に連結される（図１）。これで並列２重結合の強力な連結形態となる。アリ形の凸部１５と凹部１７には、面合わせの嵌合がなされるよう変形しやすく空洞１９を有する中空に形成される。
【００１６】
次に、上下シール部材７，７は、面シート１，１に挟まれ接着されている。そして、吊り下げや連結等に用いるために、
上下両端で通し孔２５、２５・・が開けられている。
【実施例２】
【００１７】
図４および図５は、間隔保持部１１が言わば分散セパレータとなっている。つまり、両面シール１，１には、左右に等間隔おきに帯状片が形成されるが、断続的にしてその片が欠けた部分を空気の開通口１２，１２・・として形成される。そこで、注入口１３から空気を多数の開通口２９，２９・・を通して均等に圧入される。
【００１８】
また、上下両端には、両面シート１，１が熱溶着されることによりシール部８，８が形成され、これに通し孔２５，２５・・が設けられる。
【符号の説明】
【００１９】
Ｓ  エアシート
１  面シート
３  接続部
７、８  シール部
１１  間隔保持部
１５  凸部
１７  凹部
【図１】
0003174670.tif 000003
【図２】
0003174670.tif 000004
【図３】
0003174670.tif 000005
【図４】
0003174670.tif 000006
【図５】
0003174670.tif 000007